(57)【特許請求の範囲】
【請求項１】
ハンドル軸に装着されるドライブギアと、
前記ハンドル軸に回り止め固定されると共に軸方向に移動可能に配設されるドラグワッシャと、前記ドライブギアとドラグワッシャとの間に介在されるライニング材とを具備したドラグ機構と、
を有する両軸受型リールにおいて、
前記ドライブギアは、歯面を含む外周部と、前記ライニング材に隣接する本体部を有しており、
前記外周部と本体部は、異種材料で構成されると共に、前記外周部が本体部よりも高強度材料で構成されており、
前記本体部、前記ドラグワッシャ、及び前記ハンドル軸は、アルミ系金属で構成されており、
前記外周部の内周面には凹部が形成されており、
前記本体部は塑性変形された状態で前記凹部内に圧入されており、
前記本体部と外周部は一体化されている
ことを特徴とする両軸受型リール。
【請求項２】
前記外周部の構成材料は、前記本体部の構成材料と比較して高比重であることを特徴とする請求項１に記載の両軸受型リール。
【請求項３】
前記ドライブギアは、リング状に形成された前記外周部に対して、円柱状に形成された前記本体部を圧入して一体化した後、前記歯面が形成されていることを特徴とする請求項１又は２に記載の両軸受型リール。
【発明の詳細な説明】
【技術分野】
【０００１】
本発明は、両軸受型リールに関し、詳細には、ハンドル軸に装着されるドライブギア及びドラグ機構を改良した両軸受型リールに関する。
【背景技術】
【０００２】
一般的に、両軸受型リールは、ハンドル軸に配設されたドライブギアにドラグ機構を係合させて、スプールの釣糸繰り出し方向の回転に所定の制動力を付与できるよう構成されている。前記ドライブギア及びこれに係合するドラグ機構は、例えば特許文献１に開示されているように、ハンドル軸にドライブギアを回転可能に配設するとともに、ハンドル軸にライニング材（摩擦板）を介在させてドラグワッシャを軸方向に移動可能に回り止め固定しており、ドラグワッシャをライニング材に押圧することで、ハンドル軸に対してドライブギアに所望の摩擦力を発生させるようになっている。
【０００３】
ところで、両軸受型リールは、軽量化を図ることが行われており、上記した構成部材についても、軽量化に寄与するように、軽比重系の金属、例えばアルミ系の合金を使用することが考えられる。しかし、ドライブギアは、歯部に大きな負荷が加わるため、軽比重系の金属で構成することは強度的に好ましくなく、したがって、ドライブギアのみを高強度材料、例えば、鉄系金属、真鍮、チタン等で構成することが可能である。
【先行技術文献】
【特許文献】
【０００４】
【特許文献１】実開昭６３−６８７７４号
【発明の概要】
【発明が解決しようとする課題】
【０００５】
上記したように、ドライブギアの歯部の強度を向上する場合、ドライブギアについては高強度材料を使用する必要があり、このような高強度材料は、リール全体の軽量化を図る上で妨げとなってしまう。また、ドライブギアとドラグワッシャの構成材料が異なってしまうことから、ドラグ性能が不安定になり易いという問題がある。すなわち、ドラグ力は、ライニング材の両面にドライブギアとドラグワッシャが圧接して摩擦力を発生させるため、ライニング材の両面側は、同一の条件になっていることが好ましい。
【０００６】
本発明は、上記した問題に着目してなされたものであり、リール全体の軽量化が図れると共に、ドライブギアの歯部の強度向上、及びドラグ性能の安定化が図れる両軸受型リールを提供することを目的とする。
【課題を解決するための手段】
【０００７】
上記した目的を達成するために、本発明に係る両軸受型リールは、ハンドル軸に装着されるドライブギアと、前記ハンドル軸に回り止め固定されると共に軸方向に移動可能に配設されるドラグワッシャと、前記ドライブギアとドラグワッシャとの間に介在されるライニング材とを具備したドラグ機構と、を有しており、前記ドライブギアは、歯面を含む外周部と、前記ライニング材に隣接する本体部を有しており、前記外周部と本体部は、異種材料で構成されると共に、前記外周部が本体部よりも高強度材料で構成されており、前記本体部、前記ドラグワッシャ、及び前記ハンドル軸は、アルミ系金属で構成されており、前記外周部の内周面には凹部が形成されており、前記本体部は塑性変形された状態で前記凹部内に圧入されており、前記本体部と外周部は一体化されていることを特徴とする。
【０００８】
上記した両軸受型リールによれば、ドライブギアの歯面を含む外周部のみを高強度材料とし、それ以外の部分（ライニング材と隣接するドライブギアの本体部、ドラグワッシャ及びハンドル軸）については、アルミ系金属にしたことで、全体としての軽量化が図れ、ドラグ機構におけるライニング材と隣接するドライブギアの本体部とドラグワッシャを同一材料としたことで、ドラグ性能の安定化が図れ、さらには、ドライブギアの歯面を具備する外周部のみを高強度材料にしたことで、ギア部の強度向上が図れるようになり、全体として、軽量化とドラグ性能の安定化とギア部の強度向上とがバランス良く図れるようになる。
【発明の効果】
【０００９】
本発明によれば、リール全体の軽量化が図れると共に、ドライブギアの歯部の強度向上が図れ、更にはドラグ性能が安定化した両軸受型リールが得られる。
【図面の簡単な説明】
【００１０】
【図１】本発明に係る両軸受型リールの一実施形態を示す図であり、内部構成を示した図。
【図２】図１に示す構成において、ハンドル軸部分を拡大して示す図。
【図３】ドライブギアの構成を示し、（ａ）は断面図、（ｂ）は平面図。
【図４】図３（ａ）を拡大して示す図。
【図５】ドライブギアの別の構成例を示し、（ａ）は断面図、（ｂ）は平面図。
【図６】（ａ）は、図５（ａ）を拡大して示す図、（ｂ）は図５（ｂ）を拡大して示す図。
【発明を実施するための形態】
【００１１】
以下、本発明に係る両軸受型リールの実施形態について説明する。  
図１から図４は、本発明に係る両軸受型リールの一実施形態を示す図であり、図１は、内部構成を示した図、図２は、図１に示す構成において、ハンドル軸部分を拡大して示す図、図３は、ドライブギアの構成を示し、（ａ）は断面図、（ｂ）は平面図、そして、図４は、図３（ａ）を拡大して示す図である。
【００１２】
本実施形態に係る両軸受型リールのリール本体１は、左右フレーム２ａ，２ｂと、各フレームを覆う左右カバー３ａ，３ｂとで構成される左右側板１Ａ，１Ｂを有している。前記両側板（左右フレーム）間には、スプール軸５が軸受７を介して回転自在に支持されており、スプール軸５には、釣糸が巻回されるスプール５ａが一体的に装着されている。
【００１３】
前記右フレーム３ｂから突出するスプール軸５の端部には、スプール軸５の軸方向に沿って移動可能なピニオンギア８が取り付けられている。このピニオンギア８は、公知のクラッチ機構１０によって、スプール軸５と係合してスプール軸５と一体に回転する係合位置（動力伝達状態；図１参照）と、スプール軸５との係合状態が解除される非係合位置（動力遮断状態）との間で移動される。また、ピニオンギア８には、右側板１Ｂ側に軸受１２ａを介して回転可能に支持されているハンドル軸１２に対して回転可能に装着されたドライブギア１５が噛合しており、ハンドル軸１２の先端部に設けられたハンドル１３を回転操作すると、ハンドル軸１２、ドライブギア１５、及びピニオンギア８を介して、スプール軸５が回転駆動され、それに伴ってスプール５ａが回転される。なお、ドライブギア１５は、後述するドラグ機構２０によって、ハンドル軸１２との間で所望の制動力が加わった状態で回転可能に装着されている。
【００１４】
また、前記スプール５ａの前方側の左右側板間には、レベルワインド機構１７が設置されており、このレベルワインド機構１７は、釣糸を挿通、案内する釣糸案内体１７ａを備えている。釣糸案内体１７ａは、前記ハンドル軸１２の基端部に設けられたギア１７ｂ及び右フレームに支持された入力ギア１７ｃを介して回転駆動されるウォームシャフト１７ｄと係合しており、前記ハンドル１３を回転操作すると、ギア１７ｂ及び入力ギア１７ｃを介してウォームシャフト１７ｄは回転駆動され、これに係合する釣糸案内体１７ａは、左右側板間で往復駆動される。これにより、前記ハンドル１３を回転操作すると、上記したように、スプール５ａは回転駆動されることから、同期駆動する釣糸案内体１７ａを介して、スプール５ａには釣糸が均等に巻回される。
【００１５】
前記ハンドル軸１２とドライブギア１５との間には、以下のドラグ機構２０が設置されており、魚が掛かって釣糸が繰り出された場合等、回転するスプール５ａに対して所望の制動力を付与する。
【００１６】
本実施形態におけるドラグ機構２０は、前記ドライブギア１５のハンドル側表面に形成された環状凹所１５ａ内に収容される輪帯形状のライニング材２１と、このライニング材２１に面接すると共に、これを環状凹所１５ａ内で挟持するドラグワッシャ２３とを有しており、このドラグワッシャ２３は、ハンドル軸１２に沿って摺動する押圧部材２５によって、ドライブギア１５側に押圧されるようになっている。前記ライニング材２１は、ハンドル軸１２に対してフリー回転可能な状態、ドラグワッシャ２３は、ハンドル軸１２の断面形状に合せて内孔形状が非円形となっており、ハンドル軸１２に対して軸方向に移動可能で一体回転可能な状態（回り止め固定された状態）に配設されている。なお、前記押圧部材２５は、ハンドル軸１２の逆回転を防止する一方向クラッチ３２の内輪部材として一体化されている。
【００１７】
前記押圧部材２５は、前記ハンドル１３と併設するようにハンドル軸１２に回転可能に設置されたドラグ操作部材２７を回転操作することによって、ドライブギア１５側に移動され、これにより、ドラグワッシャ２３を介してライニング材２１が押圧され、ハンドル軸と一体回転するドラグワッシャ２３との間で所定の摩擦力が生じ、ドライブギア１５はハンドル軸１２との間で、所定のドラグ力（制動力）が発生しつつ回転する。すなわち、ドラグ操作部材２７の締め付け力を緩めておくと、魚が掛かった場合等、スプール５ａが釣糸繰り出し方向に回転した際、ドライブギア１５は、ハンドル軸１２に対してライニング材２１による摩擦力が作用した状態で滑ることから、スプール５ａは制動力が加わった状態で回転可能となり、この結果、急激な負荷が釣糸に作用しても糸切れが防止される。
【００１８】
また、本実施形態のドラグ機構２０は、ドライブギア１５の反対面側にも、ハンドル軸１２と一体回転する部材（ここではハンドル軸１２と一体回転する回転体３０）を設置している。この場合、前記回転体３０は、前記一方向クラッチ３２に滑りが生じた場合に、ハンドル軸１２の逆回転を阻止するラチェットとしての機能を有しており、このような機能を有する回転体３０とドライブギア１５との間にも、ライニング材２１ａを介在して所定の摩擦力を生じさせるようになっている。
【００１９】
このため、回転体３０についても、前記本体部１５Ｂ、ハンドル軸１２、ドラグワッシャ２３と同様、アルミ系金属で構成するのが好ましく、これにより、ドラグ性能をより安定化することが可能となる。
【００２０】
前記ドライブギア１５は、その歯面１５ｂを含む外周部１５Ａと、前記ライニング材２１に隣接する部分（本体部と称する）１５Ｂの二部品が一体化して形成されており、外周部１５Ａと本体部１５Ｂは、それぞれ異種材料で構成されると共に、外周部１５Ａが本体部１５Ｂよりも高強度材料で構成されている。また、前記本体部１５Ｂ、前記ドラグワッシャ２３、及び前記ハンドル軸１２は、アルミ系金属（アルミ合金を含み、それぞれが系の異なる合金であっても良い）で構成されている。
【００２１】
具体的に、本実施形態では、本体部１５Ｂ、ドラグワッシャ２３、及びハンドル軸１２を、共にアルミ合金（Ａ５０５６）で構成し、外周部１５Ａについては、本体部１５Ｂとは異なる材料であり、強度が高い真鍮で構成している。
【００２２】
上記した構成の両軸受型リールによれば、ドライブギア１５全体を、歯面に損傷等が生じ難い高強度材料（真鍮など）で構成するのではなく、その歯面を含む外周部１５Ａのみを高強度材料で構成し、かつ、それよりも径方向内側の本体部１５Ｂを、軽量化が図れるアルミ合金で構成したことから、ギア部の強度向上と軽量化を同時に図ることが可能となる。特に、ギア部の強度向上が図れることから、スプール軸に沿って摺動するピニオンギアの摺動性が低下するようなことはない。
【００２３】
また、ライニング材２１と隣接するドライブギアの本体部１５Ｂ、ドラグワッシャ２３及びハンドル軸１２を、アルミ合金で構成したことで、全体としての軽量化が図れると共に、本体部１５Ｂとドラグワッシャ２３を同一材料にしたことで、ドラグ性能の安定化が図れ、狙ったドラグ性能が出し易くなる。更には、これらを全て同一材料としたことで、これらの間で電食が生じ難くなり、耐久性の向上が図れるようになる。すなわち、本実施形態の構成によれば、軽量化とドラグ性能の安定化とギア部の強度向上とがバランス良く図れた両軸受型リールとなる。
【００２４】
また、上記したドライブギア１５の構成では、外周部１５Ａの構成材料は、本体部１５Ｂの構成材料と比較して高比重であるため、ギア部分における慣性モーメントが大きくなり、ピニオンギア８との噛合関係で微細な振動やコトコト音が生じても、その慣性モーメントによって吸収することができ、しっとりとした回転感覚を得ることが可能となる。また、フリップハンドル性能（店頭での評価などにおいて、ハンドルを巻き取り方向に、一度だけ手で叩いた時に、どのくらい長く回転し続けるかを評価し、長く回り続けるものを高い評価とする）が良好となる。
【００２５】
上記したように構成されるドライブギア１５については、例えば、以下のようにして製造することが可能である。
【００２６】
外周部１５Ａを構成する部材として、真鍮をリング状に形成加工すると共に、本体部１５Ｂを構成する部材として、アルミ合金を円柱状に形成加工する。そして、円柱状に形成された本体部１５Ｂを外周部１５Ａの開口に対して圧入し、本体部１５Ｂを径方向に押し広げて両者を一体化する。このため、外周部１５Ａの内径と、本体部１５Ｂの外径については、両者を圧入した際、本体部１５Ｂが径方向に拡がって開口内面に対して圧接できるように設定されていれば良い。また、この際、図４に示すように、外周部１５Ａの内周面に凹部１５ｄを形成しておくことで、本体部１５Ｂを外周部１５Ａに圧入する際、本体部１５Ｂを塑性変形させて凹部１５ｄ内にかしめることが可能となり、両部材を強固に接合して一体化することが可能となる。なお、凹部１５ｄの形成位置、形状については、特に限定されるものではなく、円周方向に沿って形成しても良いし、円周方向に沿って所定間隔毎に形成しても良い。このように、所定間隔毎に形成することで、本体部１５Ｂが抜け難くなると共に、両者が相対的に周方向に回転することを阻止することが可能となる。
【００２７】
次に、両部材が一体化された円板状の部材に対して所定の機械加工を施す。この機械加工は、一体化された円板状の部材の本体部１５Ｂに対して、ハンドル軸１２が挿通される孔１５ｅを形成すること、外周部１５Ａの外周面に対して、歯面１５ｂを形成すること、及び、本体部１５Ｂに環状凹所１５ａを形成すること等が該当する。
【００２８】
このように、本体部１５Ｂを外周部１５Ａに対して圧入して両者を一体化した後、前記機械加工によって歯面１５ｂを形成することにより、強度的に優れ、かつ全体として軽量化したドライブギア１５を精度良く、容易に製造することが可能となる。
【００２９】
なお、ドライブギア１５については、上記したような圧入方式以外にも、例えば、本体部１５Ｂを外周部１５Ａに対してインパクト成形して一体化しても良い。或いは、それ以外にも、図５及び図６に示すように製造することが可能である。
【００３０】
すなわち、図３及び図４に示した構成と同様、真鍮をリング状に形成加工すると共に、アルミ合金を円柱状に形成加工する際、両者が圧入される境界部分Ｒに、図示されていない結合部材を嵌入する貫通孔１５ｇを形成しておく。この場合、貫通孔１５ｇは、リング状の外周部１５Ａの内周面に軸方向に沿って断面半円形状の長溝を形成すると共に、円柱状の本体部１５Ｂの外周面に軸方向に沿って断面半円形状の長溝を形成し、これらを合わせることで形成される。このような貫通孔１５ｇは、周方向に沿って複数個所（図では、９０°の間隔で４箇所）形成されており、両部材を一体化した後、各貫通孔１５ｇに結合部材であるピン（金属が好ましく、嵌入後に抜け止め処理される）、及び／又は接着剤を充填することで、両部材を固定する。そして、両者が一体化された円板状の部材に対して、上記した構成と同様、機械加工を施すことで、歯面が高強度で軽量化されたドライブギアを精度良く製造することが可能となる。
【００３１】
勿論、ドライブギアの製造方法は一例にすぎず、上記したような圧入、カシメ、ピンの嵌入、接着等の手法を併用することも可能である。
【００３２】
実際に、本発明のように構成されたドライブギアを組み込んだ両軸受型リールと、従来のドライブギアを組み込んだ両軸受型リールについて、その軽量化、耐久性（ドライブギアの耐久性）、ドラグ性能、及び、フリップハンドル性能について、試験を行った結果を以下に示す。この場合、評価については、非常に良好であったものを◎、良好であったものを○、多少劣っていたものを△、劣っていたものを×で示してある。
【００３３】
従来例１，２は、ドライブギアが単一の材料で構成されると共に、ドラグワッシャが異なる材料で構成されたものであり、従来例１は真鍮のドライブギアとステンレスのドラグワッシャの組み合わせ、従来例２はアルミ合金のドライブギアとステンレスのドラグワッシャの組み合わせである。また、実施例１は、上記した実施形態のように真鍮の外周部１５Ａとアルミ合金の本体部１５Ｂを一体化した構成であり、実施例２は、外周部をチタン合金、本体部をアルミ合金（Ａ５０５６）、ドラグワッシャを本体部と同様、アルミ合金（Ａ６０６１）で構成したものである。
【００３４】
【表１】
0005931495.tif 000002
【００３５】
この比較試験から明らかなように、本体部をアルミ系金属で構成し、外周部をそれよりも高強度材で構成したドライブギア組み込み、かつドラグワッシャ及びハンドル軸をアルミ系金属で構成した両軸受型リールでは、軽量化、耐久性、ドラグ性能を、バランス良く向上することが可能となる。また、外周部１５Ａを本体部１５Ｂに対して、より高比重化することで、フリップハンドル性能を更に向上することが可能となる。
【００３６】
以上、本発明の実施形態について説明したが、本発明は、上記した実施形態に限定されることはなく、種々変形することが可能である。例えば、ドライブギア１５については、高強度材で構成される外周部１５Ａを、上記した真鍮以外にも、ステンレスやチタン合金で構成しても良い。
【００３７】
また、上記したように構成されるドライブギアにおける本体部１５Ｂは、ドラグ機構を構成するライニング材２１と当接する部分がアルミ系金属で構成されていれば良く、本体部１５Ｂを円板状に形成し、ドライブギア１５の環状凹所１５ａの内周面を、外周部１５Ａそのもので形成しても良い。
【符号の説明】
【００３８】
１  リール本体
５  スプール軸
１２  ハンドル軸
１５  ドライブギア
１５Ａ  外周部
１５ｂ  歯面
１５Ｂ  本体部
２０  ドラグ機構
２１，２１ａ  ライニング材
２３  ドラグワッシャ
【図１】
0005931495.tif 000003
【図２】
0005931495.tif 000004
【図３】
0005931495.tif 000005
【図４】
0005931495.tif 000006
【図５】
0005931495.tif 000007
【図６】
0005931495.tif 000008